(57)【要約】【課題】スルーホールを無くした３相電極パターンを有する３相駆動の静電アクチュエータを提供する。【解決手段】固定子基材とその表面に形成した帯線状の電極とを有する固定子と、前記電極の電位に応じた電荷が誘起される移動子基材を有する移動子とを備える静電アクチュエータであって、固定子における帯線状の電極はＵ相電極、狭幅Ｗ相電極、Ｖ相電極、Ｗ相電極の順番に互いに平行となるように複数が配置され、複数のＵ相電極は一方の端部においてＵ相リード線に接続して一方接続の櫛形状パターンをなし、複数のＶ相電極は他方の端部においてＶ相リード線に接続して他方接続の櫛形状パターンをなし、複数の狭幅Ｗ相電極とＷ相電極は一方の端部と他方の端部を交互にＵ相リード線に接続して２つの櫛形状パターンの隙間を通る矩形波形状の線パターンをなすようにした静電アクチュエータ。【選択図】  図１
2009284573.tif 000002
【特許請求の範囲】
【請求項１】
固定子基材とその表面に形成した帯線状の電極とを有する固定子と、前記電極の電位に応じた電荷が誘起される移動子基材を有する移動子と、を備える静電アクチュエータであって、
前記固定子における前記帯線状の電極はＵ相電極、狭幅Ｗ相電極、Ｖ相電極、Ｗ相電極の順番に互いに平行となるように複数が配置され、複数の前記Ｕ相電極は一方の端部においてＵ相リード線に接続して一方接続の櫛形状パターンをなし、複数の前記Ｖ相電極は他方の端部においてＶ相リード線に接続して他方接続の櫛形状パターンをなし、複数の前記狭幅Ｗ相電極と前記Ｗ相電極は一方の端部と他方の端部を交互にＷ相リード線に接続して前記２つの櫛形状パターンの隙間を通る矩形波形状の線パターンをなすことを特徴とする静電アクチュエータ。
【請求項２】
請求項１に記載の静電アクチュエータにおいて、前記Ｕ相電極、前記Ｖ相電極、前記Ｗ相電極は等幅の電極であって、かつ等間隔で配置されることを特徴とする静電アクチュエータ。
【請求項３】
請求項１または２に記載の静電アクチュエータにおいて、前記狭幅Ｗ相電極の幅は前記Ｗ相電極の幅に対して１／４以下であることを特徴とする静電アクチュエータ。
【発明の詳細な説明】
【技術分野】
【０００１】
本発明は静電アクチュエータの技術分野に属する。特に、３相の電圧を印加することにより駆動を行う静電アクチュエータに関する。
【背景技術】
【０００２】
静電アクチュエータの形態として、フィルムを利用して薄型とした静電アクチュエータの発明が公知である。たとえば、図５に示す構成を有する静電アクチュエータの発明が公知である（特許文献１）。この静電アクチュエータは、図５に示すように、固定子（１）はガラスエポキシ基板（３）の表面にエッチングにより形成した帯状電極（４）（たとえば１．２７ｍｍ間隔で１００本）と、その上に塗布したエポキシ樹脂（５）と、そのエポキシ樹脂上に積層されたフィルム（６），（７）（たとえば０．１ｍｍ厚さのＰＥＴフィルム）とからなる。また、移動子（１０）はフィルム状の絶縁体層（１１）（たとえば０．１ｍｍ厚さのＰＥＴフィルム）および高抵抗体層（１２）（たとえば０．１ｍｍ厚さのＰＥＴフィルムに帯電防止剤を塗布し表面抵抗が１０12〜１０16Ω／□）からなる。
【特許文献１】特開平２−２８５９７８  この従来の静電アクチュエータにおいては、図６に示すように、固定子（１）を構成する絶縁体（２）に埋め込まれた第１の電極郡、第２の電極郡、第３の電極郡から成る３つの電極郡を備えている。図６（ａ）に示すように、（第１の電極郡，第２の電極郡，第３の電極郡）に対して（＋Ｖ，−Ｖ，０）を印加すると、始めは電荷が存在していなかった高抵抗体層（１２）内に電流が流れ、高抵抗体層（１２）と絶縁体層（１１）の境界に電荷が誘導され、図６（ｂ）に示すように、平衡状態になる。この状態で移動子（１０）は固定子（１）に吸引されている。
【０００３】
次に、図６（ｃ）に示すように、（−Ｖ，＋Ｖ，−Ｖ）を印加すると、各電極内の電荷は瞬時に移動するが、高抵抗体層（１２）に誘導された電荷は抵抗値が高いためすぐには移動できない。電極の電荷と高抵抗体層（１２）の電荷（鏡像電荷）は同符号となるので、反発力が発生し、移動子（１０）は浮上する。また、電極４ｃ１の−電荷と電極４ｂ１の上の高抵抗体層（１２）の＋電荷（鏡像電荷）は吸引し、電極４ｃ１の−電荷と電極４ａ１の上の高抵抗体層（１２）の−電荷（鏡像電荷）は反発するので、移動子は左右方向の駆動力を受けて、右に移動する。１ピッチ移動すると、図６（ｄ）に示すように、電極の電荷とその上の高抵抗体層（１２）の電荷（鏡像電荷）とが異極性となるので、吸引力が働き、移動子（１０）はそこで停止する。
すなわち、（第１の電極郡，第２の電極郡，第３の電極郡）に対して、（＋Ｖ，−Ｖ，０）→（−Ｖ，＋Ｖ，−Ｖ）→（０，＋Ｖ，−Ｖ）→（−Ｖ，−Ｖ，＋Ｖ）→（−Ｖ，０，＋Ｖ）→（＋Ｖ，−Ｖ，−Ｖ）→（＋Ｖ，−Ｖ，０）を１周期として繰返し印加すると移動子は右に移動し続けることが可能である。
このように、従来の静電アクチュエータはその固定子（１）に３つの電極郡を備えており、それら３つの電極郡の各々に対して３相の電圧の各々を印加することによって移動子（１０）を固定子（１）に対して移動する構成を有している。
【発明の開示】
【発明が解決しようとする課題】
【０００４】
ところで、固定子の各電極郡は干渉しないようにする（電気的に接続しないようにする）ことが必須である。固定子に２つの電極郡を形成するときには固定子の片面だけの使用でそれらの電極郡が干渉しないようにすることが可能である。しかし、固定子に３つの電極郡を形成するときには、固定子の片面だけの使用ではそれらの電極郡の干渉を避けることができないと考えられていた。たとえば、従来の静電アクチュエータにおいては、図７に示すように、等を形成して固定子の両面を使用する配線パターンを形成することによってそれらの電極郡の干渉を避けることが一般的であった。
しかし、スルーホールを形成することは、電極パターンのコストを高くするという問題がある。また、ＩＴＯ等による透明電極パターンにおいては接続の信頼性が低いため、透明なスルーホールを形成することができないという問題がある。
本発明は上記の問題を解決するために成されたものである。その目的は、スルーホールを無くした３相電極パターンを有する３相駆動の静電アクチュエータを提供することにある。
【課題を解決するための手段】
【０００５】
本発明の請求項１に係る静電アクチュエータは、固定子基材とその表面に形成した帯線状の電極とを有する固定子と、前記電極の電位に応じた電荷が誘起される移動子基材を有する移動子と、を備える静電アクチュエータであって、  前記固定子における前記帯線状の電極はＵ相電極、狭幅Ｗ相電極、Ｖ相電極、Ｗ相電極の順番に互いに平行となるように複数が配置され、複数の前記Ｕ相電極は一方の端部においてＵ相リード線に接続して一方接続の櫛形状パターンをなし、複数の前記Ｖ相電極は他方の端部においてＶ相リード線に接続して他方接続の櫛形状パターンをなし、複数の前記狭幅Ｗ相電極と前記Ｗ相電極は一方の端部と他方の端部を交互にＷ相リード線に接続して前記２つの櫛形状パターンの隙間を通る矩形波形状の線パターンをなすようにしたものである。
また、本発明の請求項２に係る静電アクチュエータは、請求項１に記載の静電アクチュエータにおいて、前記Ｕ相電極、前記Ｖ相電極、前記Ｗ相電極は等幅の電極であって、かつ等間隔で配置されるようにしたものである。
また、本発明の請求項３に係る静電アクチュエータは、請求項１または２に記載の静電アクチュエータにおいて、前記狭幅Ｗ相電極の幅は前記Ｗ相電極の幅に対して１／４以下であるようにしたものである。
【発明の効果】
【０００６】
本発明の請求項１に係る静電アクチュエータによれば、固定子基材とその表面に形成した帯線状の電極とを有する固定子と、前記電極の電位に応じた電荷が誘起される移動子基材を有する移動子と、を備える静電アクチュエータであって、  前記固定子における前記帯線状の電極はＵ相電極、狭幅Ｗ相電極、Ｖ相電極、Ｗ相電極の順番に互いに平行となるように複数が配置され、複数の前記Ｕ相電極は一方の端部においてＵ相リード線に接続して一方接続の櫛形状パターンをなし、複数の前記Ｖ相電極は他方の端部においてＶ相リード線に接続して他方接続の櫛形状パターンをなし、複数の前記狭幅Ｗ相電極と前記Ｗ相電極は一方の端部と他方の端部を交互にＷ相リード線に接続して前記２つの櫛形状パターンの隙間を通る矩形波形状の線パターンをなす。すなわち、２つの櫛形状パターンの間をぬうように第３の矩形波形状の線パターンが形成され、三つの群の電極（複数の電極）のいずれもスルーホールを介したリード線で接続する必要性がない。また、移動子の駆動における固定子の電極の有効度は電極の幅に依存しているから、狭幅Ｗ相電極が移動子の駆動に与える有効度は低く、他のＵ相電極、Ｖ相電極、Ｗ相電極の有効度は大きい。したがって、スルーホールを無くした３相電極パターンを有する３相駆動の静電アクチュエータが提供される。
また、本発明の請求項２に係る静電アクチュエータによれば、請求項１に記載の静電アクチュエータにおいて、前記Ｕ相電極、前記Ｖ相電極、前記Ｗ相電極は等幅の電極であって、かつ等間隔で配置される。Ｕ相電極、Ｖ相電極、Ｗ相電極が等幅の電極で等間隔に配置されたときには高い駆動効率を得ることができる。
また、本発明の請求項３に係る静電アクチュエータによれば、請求項１または２に記載の静電アクチュエータにおいて、前記狭幅Ｗ相電極の幅は前記Ｗ相電極の幅に対して１／４以下であるようにしたものである。狭幅Ｗ相電極が移動子の駆動に与える悪影響を十分に小さくすることができる。
【発明を実施するための最良の形態】
【０００７】
次に、本発明の実施の形態について図を参照しながら説明する。本発明の静電アクチュエータにおける特徴的な構成は固定子における帯線状の電極のパターンにある。本発明の静電アクチュエータの固定子における電極のパターンの一例を図１、図２に平面図として示す。図１は主として電極の配置を示す図であり、図２は主として電極の寸法を示す図である。図１、図２において、１２，１３，１４はＵ相電極、２２，２３，２４は狭幅Ｗ相電極、３２，３３はＶ相電極、４１，４２，４３はＷ相電極、１００はＵ相リード線、３００はＶ相リード線、４００，４０１，４０２，４０３，４０４，４０５，４０６はＷ相リード線、ａ，ｂ，ｃ，・・・は電極の中心線、Ａ，Ｂ，Ｃ，Ｄは電極の幅である。
Ｕ相電極１２，１３，１４と、狭幅Ｗ相電極２２，２３，２４と、Ｖ相電極３２，３３と、Ｗ相電極４１，４２，４３とは、図１に示すように、平行となるように複数が配置されている。図１に示す一例においては、各電極について２〜３つの電極が図示されているが、固定子の面積に応じて決まるのであるが、多くの場合において数百程度の電極が配置される。
その配置の順番は、図１に示す一例においては、Ｗ相電極４１，Ｕ相電極１２，狭幅Ｗ相電極２２，Ｖ相電極３２，Ｗ相電極４２，Ｕ相電極１３，狭幅Ｗ相電極２３，Ｖ相電極３３，Ｗ相電極４３、Ｕ相電極１４、狭幅Ｗ相電極２４の順番である。すなわち、Ｕ相電極、狭幅Ｗ相電極、Ｖ相電極、Ｗ相電極を１周期とする順番である。
なお、図１、図２に示す一例においては、電極は直線の平行電極であるが、直線ではなく正弦波型、三角波型、等であってもよい。ここで平行とは数学的に完全な平行を意味せず、並行し交差しないことを意味している。
【０００８】
Ｕ相リード線１００はＵ相電極１２，１３，１４に接続している。図１に示す一例において、Ｕ相リード線１００は上下方向に延びる線であり、Ｕ相電極１２，１３，１４は左右方向に延びる線として区別できる。その接続部分はＵ相電極１２，１３，１４の一方の端部（図１に一例を示す図配置において左側の端部）である。したがって、Ｕ相電極１２，１３，１４とＵ相リード線１００からなるＵ相の電極は一方接続の（左側接続の）櫛形状パターンをなす。
同様に、Ｖ相リード線３００はＶ相電極３２，３３に接続している。図１に示す一例において、Ｖ相リード線３００は上下方向に延びる線であり、Ｖ相電極３２，３３は左右方向に延びる線として区別できる。その接続部分はＶ相電極３２，３３の他方の端部（図１に一例を示す図配置において右側の端部）である。したがって、Ｖ相電極３２，３３とＶ相リード線３００からなるＶ相の電極パターンは他方接続の（右側接続の）櫛形状パターンをなす。
【０００９】
Ｗ相リード線４００，４０１，４０２，４０３，４０４，４０５，４０６は、Ｕ相リード線１００およびＶ相リード線３００とは異なった形状を有している。Ｕ相リード線１００およびＶ相リード線３００は、図１に示すように、上下方向に延びる一本の線であるが、Ｗ相リード線４００，４０１，４０２，４０３，４０４，４０５，４０６は、上下方向に延びる多数本の線の集合である。
Ｗ相リード線４００は電極４１の一方の端部（図１に一例を示す図配置において左側の端部）に接続する。Ｗ相リード線４０１は電極４１の他方の端部（図１に一例を示す図配置において右側の端部）と狭幅Ｗ相電極２２の他方の端部に接続する。Ｗ相リード線４０２は狭幅Ｗ相電極２２の一方の端部と電極４２の一方の端部とに接続する。Ｗ相リード線４０３は電極４２の他方の端部と狭幅Ｗ相電極２３の他方の端部に接続する。Ｗ相リード線４０４は狭幅Ｗ相電極２３の一方の端部と電極４３の一方の端部とに接続する。Ｗ相リード線４０５は電極４３の他方の端部と狭幅Ｗ相電極２４の他方の端部に接続する。Ｗ相リード線４０６は狭幅Ｗ相電極２２の一方の端部に接続する。
このように、複数の狭幅Ｗ相電極とＷ相電極は一方の端部と他方の端部を交互にＷ相リード線に接続して２つの櫛形状パターンの隙間を通る矩形波形状の線パターンをなしている。
【００１０】
図２において、ａはＷ相電極４１の中心線、ｂはＵ相電極１２の中心線、ｃはＶ相電極３２の中心線、ｄはＷ相電極４２の中心線、ｅはＵ相電極１３の中心線、ｆはＶ相電極３３の中心線、ｇはＷ相電極４３の中心線、ｈはＵ相電極１４の中心線、ｏは狭幅Ｗ相電極２２の中心線、ｐは狭幅Ｗ相電極２３の中心線、ｑは狭幅Ｗ相電極２４の中心線である。
これら中心線の中で、Ｗ相電極４１の中心線ａ、Ｕ相電極１２の中心線ｂ、Ｖ相電極３２の中心線ｃ、Ｗ相電極４２の中心線ｄ、Ｕ相電極１３の中心線ｅ、Ｖ相電極３３の中心線ｆ、Ｗ相電極４３の中心線ｇ、Ｕ相電極１４の中心線ｈにおいて、隣接する中心線の間隔の各々は、図２に示す一例においては、すべて同一間隔である。すなわち、Ｕ相電極、Ｖ相電極、Ｗ相電極は等間隔で配置される。Ｕ相電極、Ｖ相電極、Ｗ相電極がに配置されたときには高い駆動効率を得ることができる。
また、Ｕ相電極１２の中心線ｂと狭幅Ｗ相電極２２の中心線ｏの間隔、狭幅Ｗ相電極２２の中心線ｏとＶ相電極３２の中心線ｃの間隔、Ｕ相電極１３の中心線ｅと狭幅Ｗ相電極２３の中心線ｐの間隔、狭幅Ｗ相電極２３の中心線ｐとＶ相電極３３の中心線ｆの間隔の各々は、図２に示す一例においては、すべて同一間隔である。言い換えると、Ｕ相電極１２の中心線ｂとＶ相電極３２の中心線ｃの間隔、およびＵ相電極１３の中心線ｅと中心線ｆの間隔の半分の間隔である。すなわち、狭幅Ｗ相電極はＵ相電極とＶ相電極の中間に配置される。
【００１１】
図２において、ＡはＵ相電極の幅、Ｂは狭幅Ｗ相電極の幅、ＣはＶ相電極の幅、ＤはＷ相電極の幅である。Ｕ相電極の幅Ａ、Ｖ相電極の幅Ｃ、Ｗ相電極の幅Ｄの各々は、図１に示すように、同一幅となっている。Ｕ相電極、Ｖ相電極、Ｗ相電極が等幅の電極であるときには高い駆動効率を得ることができる。
一方、狭幅Ｗ相電極の幅Ｂは、図１に示すように、Ｕ相電極の幅Ａ、Ｖ相電極の幅Ｃ、Ｗ相電極の幅Ｄの各電極幅よりも小さな幅となっている。たとえば、狭幅Ｗ相電極の幅はＷ相電極の幅に対して１／４以下とすることができる。狭幅Ｗ相電極の幅をＷ相電極の幅に対して１／４以下とすると、狭幅Ｗ相電極が移動子の駆動に与える悪影響を十分に小さくすることができる。
【００１２】
静電アクチュエータにおける電極を形成した固定子の断面図を図３に示す。図３（Ａ）は本発明の静電アクチュエータの断面図であり、図３（Ｂ）は従来の静電アクチュエータの断面図である。図３においては、固定子基材とその表面に形成された電極だけが示されている。図３（Ａ）に示す本発明の静電アクチュエータにおいては、Ｕ相電極とＶ相電極との間に狭幅Ｗ相電極（Ｗ相電極の戻り）が存在する。また、Ｕ相電極、Ｖ相電極、Ｗ相電極の電極面積に対して狭幅Ｗ相電極の電極面積は小さい。一方、図３（Ｂ）に示す従来の静電アクチュエータにおいては狭幅Ｗ相電極そのものが存在しない。
固定子の表面に形成された電極に印加された電圧によって移動子の表面には電荷が生じ、その電荷と電極との相互作用（クーロン力）によって移動子が移動する。このときの相互作用の大きさは電極の面積に依存し、電極の面積が大きいと相互作用が大きく、電極の面積が小さいと相互作用が小さい。すなわち、電極面積の小さい狭幅Ｗ相電極による固定子と移動子との間の相互作用に対する影響は、電極面積の大きいＵ相電極、Ｖ相電極、Ｗ相電極による固定子と移動子との間の相互作用に対する影響と比較して小さい。したがって、図３（Ａ）に示す電極パターンと図３（Ｂ）に示す電極パターンとの相違は僅かであって、両者はほとんど同等である。
【００１３】
本発明の静電アクチュエータの固定子は、上記の電極パターンを有する。このような電極パターンは、固定子基材の表面に形成される。すなわち固定子は、固定子基材と、その一方の表面に形成された電極とリード線を備える。また固定子は、それら電極とリード線の外面を電気的に絶縁するために固定子基材の表面、電極、リード線を被覆するように設けられた絶縁体（絶縁体層）を備えると好適である。また固定子は、移動子との接触面する面、たとえば絶縁体の表面または固定子基材の裏面には磨耗を防止するためのハードコート層を備えると好適である。また固定子と移動子との間で発生する摩擦力を軽減するために固定子と移動子との間に潤滑層を設けると、駆動の効率化、安定化、等において好適である。潤滑層としては流動体を使用することができる。
本発明の静電アクチュエータの固定子は、一例として上述の構成、すなわち固定子基材、電極とリード線、絶縁体、ハードコート層、潤滑層を順番に積層した構成とすることができる。次に、それらの構成の１つ１つについて説明する。
固定子基材はその表面に形成した電極の電極形状を保持するための基材となるフィルムである。固定子基材としては、電気的な絶縁性を有し、かつハンダ付における耐熱性を有するプラスチックフィルム、たとえばＰＩ（PolyImide）フィルム、ＰＥＴ（PolyEthyleneTerephthalate）フィルム、ＰＡＩ（PolyAmideImide）フィルム、等、あるいはプラスチックフィルムではない他の材料として、ガラス基板、ガラスエポキシ基板、紙フェノール基板、フッ素樹脂基板、コンポジット基板、等を使用することができる。
【００１４】
電極（リード線についても同様）は固定子基材の表面に形成された帯線状の電極である。電極はプリント回路を形成する周知の方法によって形成することができる。プリント回路の材料として銅箔とフィルムまたは基板を貼り合わせた銅貼フィルムが使用される。電極と固定子基材はその銅貼フィルムにおける銅箔の部分とフィルムの部分である。銅貼フィルムの銅箔面にエッチングレジストのパターンを形成してエッチングすることにより銅箔をパターン化することができる。帯線状の電極は、このパターン化した銅箔の部分として固定子基材の表面に形成される。
また、バックライトを透過させる等のために、電極として透明電極を必要とするときには、透明電極を形成する周知の方法によって電極を形成することができる。たとえば、ＩＴＯ（酸化インジウム・スズ）を使用しスパッタリング、蒸着、等により基材に成膜しエッチングによりパターン化する、またはＩＴＯペーストをインキとし基材にスクリーン印刷して焼成する、等により透明電極を得ることができる。
【００１５】
絶縁体は電極の露出している側の表面を被覆する絶縁体である。電極の固定子基材に貼り付いている側の表面は、当然ながら、固定子基材よって被覆されており電気的な絶縁性が確保されている。絶縁体はその表面に対して反対側となる固定子基材と電極の表面に密着して形成される。
絶縁体は電気的な絶縁性を得るためだけではなく、固定子の全体の剛性を高くして変形を小さくし、移動子基材に対面する固定子基材の表面の平坦性を確保する働きを有している。
ハードコート層は固定子基材と移動子基材との摩擦による磨耗から、保護するためのハードコート層である。ハードコート層は固定子基材と移動子基材とが対向する側の固定子基材の表面に形成する。このハードコート層は、固定子基材の厚さを極めて薄くしたときには（たとえば、２０μｍ以下）、静電アクチュエータの耐久性において特に顕著な効果を示す構成要件となる。ハードコート層としては、周知のハードコート層を適用することができる。たとえば、フィルムに熱硬化性樹脂、紫外線硬化性樹脂、等を塗布して硬化させ形成したハードコート層を適用することができる。
潤滑層は固定子と移動子との間で発生する摩擦力を軽減するために固定子と移動子とが対面する（接触する）面の間に設けた潤滑層である。潤滑層を設けることにより駆動の効率性、安定性、等を向上させることができる。潤滑層としては流動体を使用することができる。たとえば、シリコーンオイル、フッ素系液体（たとえば、フロリナート（商標））、等の不活性かつ電気絶縁性を有する液体を使用すると好適である。また、滑り抵抗ではなく、潤滑層と同様の作用効果を有する直径２０μｍ程度のビーズを使用し転がり抵抗としてもよい。
【００１６】
本発明の静電アクチュエータは、上述の固定子とともに移動子を基本的な構成要素とする。また、当然ながら、静電アクチュエータは電圧印加により動作（移動）するアクチュエータであるから電源部を必用とし、その動作を制御するときには制御部を必要とする。  移動子はすくなくとも移動子基材を有するが、その移動の利用形態よって様々な態様の構成要素が付加される。たとえば、移動子の移動方向や移動範囲を規制する案内要素、移動子の移動を静電アクチュエータの駆動力として取り出すための伝達要素、移動子を保護するためのカバー、等を付加することができる。
移動子基材は、電極の電位に応じた電荷が誘起されるフィルムである。移動子基材は、その表面に誘起された電荷と電極の電位とによって決まる電気力（クーロン力）が作用して移動を行う。そのような作用を生じるために、移動子基材は、電位に応じた電荷が誘起される物性と、その電荷を一定の時間だけは保持する物性を有している。この物性は移動子基材の表面抵抗率が関係しており、表面抵抗率が約１０12〜１０15Ω／□程度が好適である。
【００１７】
移動子基材としては、ＰＥＴ（PolyEthyleneTerephthalate）フィルム、ＰＰ（PolyPropylene）フィルム、ＰＳ（PolyStyrene）フィルム、ＰＶＣ（PolyVinylChloride）フィルム、ＰＶＤＣ（PolyVinyliDeneChloride）フィルム、ＰＥ（PolyEthylene）フィルム、ＰＡ（PolyAmide）フィルム、ＰＩ（PolyImide）フィルム、ＰＬＡ（PolyLacticAcid：ポリチックフィルムを使用することができる。このようなプラスチックフィルムの表面物性は表面処理に大きく影響されることがある。したがって、上記のプラスチックフィルムであっても表面抵抗率を最適化する表面処理を必要性とすることがある。また、上記に限定されず、コーティング処理、等によって表面抵抗率を最適化することにより他の材料を使用することもできる。また、静電対策していないざら紙などに適当な表面処理をしてもよい。
【００１８】
次に、本発明の静電アクチュエータにおける電源部と制御部について説明する。本発明の静電アクチュエータにおける電源部の構成の一例を図４に示す。図４において、１は入力器、２は制御器、３は高電圧電源、４は復号器、５は切替器であり、これらによって電源部が構成される。
入力器１は、制御部から制御の態様を指令する信号を入力し、制御器２に対してその信号を出力する部分である。すなわち、インタフェース、バッファ等の役割を有する部分である。その信号にはＵＰ、ＤＯＷＮ、ＳＴＡＲＴ、ＳＴＯＰ、ＳＰＥＥＤが存在する。ＵＰは移動子を上昇移行させる指令信号であり、ＤＯＷＮは移動子を下降移行させる指令信号である。また、ＳＴＡＲＴは高電圧電源の電力供給を開始する指令信号であり、ＳＴＯＰは高電圧電源の電力供給を停止する指令信号である。また、ＳＰＥＥＤは３相交流における周波数を決定する指令信号である。
【００１９】
制御器２は入力器１から入力した指令信号に基づいて高圧電源３と復号器４を操作する操作信号を出力する制御器である。
高電圧電源３はグランドに対してプラス高電圧とマイナスの高電圧を出力する電源である。高電圧電源３は制御器２が出力する操作信号に基づいてプラス高電圧とマイナスの高電圧における出力電圧を変化することができる。出力電圧の範囲は、たとえば、２００〜２０００ボルト（Ｖ）である。
復号器４は、制御器２が出力する操作信号を切替器５を動作させる切替信号に複合化する。
切替器５は、復号器４が複合化する切替信号によって、高圧電源３の出力を切替える。その切替によって得られる出力は、たとえば、（１）３相正向進行波、（２）３相逆向進行波、（３）３つの出力をすべてプラス高電圧、（４）３つの出力をすべてマイナス高電圧、（５）３つの出力をすべてグランド（０電圧）のいずれかである。
【図面の簡単な説明】
【００２０】
【図１】本発明の静電アクチュエータの固定子における電極のパターンの一例を示す平面図（その１）である。
【図２】本発明の静電アクチュエータの固定子における電極のパターンの一例を示す平面図（その２）である。
【図３】静電アクチュエータにおける電極を形成した固定子の断面図である。
【図４】本発明の静電アクチュエータにおける電源部の構成の一例を示す図である。
【図５】従来の静電アクチュエータにおける構成の一例を示す図である。
【図６】従来の静電アクチュエータにおける動作の説明図である。
【図７】従来の静電アクチュエータの固定子における電極のパターンの一例を示す平面図である。
【符号の説明】
【００２１】
１  入力器
２  制御器
３  高電圧電源
４  復号器
５  切替器
１２，１３，１４  Ｕ相電極
２２，２３，２４  狭幅Ｗ相電極
３２，３３  Ｖ相電極
４１，４２，４３  Ｗ相電極
１００  Ｕ相リード線
３００  Ｖ相リード線
４００，４０１，４０２，４０３，４０４，４０５，４０６  Ｗ相リード線
ａ，ｂ，ｃ，・・・  電極の中心線
Ａ，Ｂ，Ｃ，Ｄ  電極の幅
【図１】
2009284573.tif 000003
【図２】
2009284573.tif 000004
【図３】
2009284573.tif 000005
【図４】
2009284573.tif 000006
【図５】
2009284573.tif 000007
【図６】
2009284573.tif 000008
【図７】
2009284573.tif 000009